(57)【要約】【課題】  前面扉を開ける必要が生じても、隣り合う遊技機で遊技を行っている遊技者が遊技を中断したり、姿勢を変えて遊技を行ったりする必要がなく、遊技に集中することができ、また、遊技店の店員が前面扉を開けてスムーズに作業を行うことが可能な遊技機を提供すること。【解決手段】  前面に矩形状の開口を有する本体と、開口を覆う大きさを有し、本体に開閉可能に支持された前面扉とを備えた遊技機であって、前面扉は、本体に対して少なくとも左右の２方向から開閉し得るように、本体に支持されることを特徴とする遊技機。【選択図】    図３
2005237831.tif 000002
【特許請求の範囲】
【請求項１】
前面に矩形状の開口を有する本体と、
前記開口を覆う大きさを有し、前記本体に開閉可能に支持された前面扉と
を備えた遊技機であって、
前記前面扉は、前記本体に対して少なくとも左右の２方向から開閉し得るように、前記本体に支持されることを特徴とする遊技機。
【請求項２】
前記前面扉は、前記本体に対して上下左右の４方向から開閉し得るように、前記本体に支持されることを特徴とする請求項１に記載の遊技機。
【請求項３】
前記前面扉の裏面側には、前記開口の周縁部を覆う内枠が設けられ、
前記内枠が、前記開口の周縁部の一辺を軸として当該内枠を前記本体に対して開閉させる第１ヒンジと、当該周縁部の一辺と対向する他辺を軸として当該内枠を前記本体に対して開閉させる第２ヒンジとを介して、前記本体に係合するとともに、
前記第１ヒンジ又は前記第２ヒンジのいずれか一のヒンジにより前記内枠を開閉させる際に、他のヒンジによる前記本体への係合が解除されるように構成され、さらに、
前記前面扉が、前記内枠の一辺を軸として当該前面扉を前記内枠に対して開閉させる第３ヒンジと、当該内枠の一辺と対向する他辺を軸として当該前面扉を前記内枠に対して開閉させる第４ヒンジとを介して前記内枠に係合するとともに、
前記第３ヒンジ又は前記第４ヒンジのいずれか一のヒンジにより前記前面扉を開閉させる際に、他のヒンジによる前記内枠への係合が解除されるように構成されることにより、
前記前面扉は、前記本体に対して上下左右の４方向から開閉し得るように、前記本体に支持されることを特徴とする請求項２に記載の遊技機。
【請求項４】
前記開口の周縁部の少なくとも隣接する２辺を覆う枠部材が、前記開口の周縁部の一角に配置されるとともに前記開口の周縁部の隣接する２辺のどちらか１辺を軸として前記枠部材を開閉させる第１ヒンジ部を介して、前記本体に付設され、
前記前面扉が、前記開口の周縁部の隣接する２辺以外の隣接する２辺のどちらか一辺を軸として前記前面扉を前記枠部材に対して開閉させる前記第２ヒンジ部を介して、前記枠部材に付設されることにより、
前記前面扉は、前記本体に対して上下左右の４方向から開閉し得るように、前記本体に支持されることを特徴とする請求項２に記載の遊技機。
【発明の詳細な説明】
【技術分野】
【０００１】
本発明は、例えば、パチンコ遊技装置、パチスロ遊技装置、スロットマシン等の遊技機に関する。
【背景技術】
【０００２】
パチンコホールと称される遊技店には、通常、パチンコ遊技装置やパチスロ遊技装置等の遊技機が多数並べて設置されている。パチンコ遊技装置は、本体の前面に開口を有し、開口の内部には、例えば、障害釘や役物等が配置された遊技盤が設けられ、開口の前面には、ガラス板等が嵌め込まれた前面扉が、本体に対して開閉可能に設けられている（例えば、特許文献１参照）。遊技者は、遊技盤上に遊技球を発射することにより、遊技を行うのであるが、稼動中に、障害釘の間や役物等に遊技球が詰まってしまうことがある。このような場合、遊技店（所謂パチンコホール）の店員は、前面扉を開け、詰まっている遊技球を取り除く作業を行わなければならない。また、パチスロ遊技装置においてもメダルが本体内に詰まってしまう事態等、前面扉を開けなければならない事態が生じ得る。このように、パチンコ遊技装置やパチスロ遊技装置等の遊技機では、稼動中にその前面扉を開けなければならない事態が生じることがあり、その都度、遊技店の店員は、前面扉を開け、必要に応じた作業を行っている。
【０００３】
【特許文献１】特開２００３−２１０７９１号公報
【発明の開示】
【発明が解決しようとする課題】
【０００４】
しかしながら、従来の遊技機においては、前面扉が右方向からのみ開閉可能に構成されているため、前面扉を開ける必要が生じた場合に、その遊技機の右側の遊技機で遊技を行っている遊技者が、遊技を中断したり、姿勢を変えて遊技を行ったりしなければならず、遊技に集中することができないという問題があった。
【０００５】
遊技店の店員にとっても、他の遊技者に対して迷惑にならないように作業を行わなければならないため、前面扉を開ける必要が生じた遊技機の右側の遊技機で他の遊技者が遊技を行っている場合には、スムーズに作業を行うことができないという問題があった。
【０００６】
本発明は、上述した課題に鑑みてなされたものであり、その目的は、前面扉を開ける必要が生じても、隣り合う遊技機で遊技を行っている遊技者が遊技を中断したり、姿勢を変えて遊技を行ったりする必要がなく、遊技に集中することができ、また、遊技店の店員が前面扉を開けてスムーズに作業を行うことが可能な遊技機を提供することにある。
【課題を解決するための手段】
【０００７】
上述した課題を解決するために、本発明は、以下のようなものを提供する。
（１）前面に矩形状の開口を有する本体と、
上記開口を覆う大きさを有し、上記本体に開閉可能に支持された前面扉と
を備えた遊技機であって、
上記前面扉は、上記本体に対して少なくとも左右の２方向から開閉し得るように、上記本体に支持されることを特徴とする遊技機。
【０００８】
（１）の発明によれば、前面扉を本体に対して少なくとも左右の２方向から開閉することができるため、右側の遊技機で遊技が行われている場合には、左側から前面扉を開き、左側の遊技機で遊技が行われている場合には、右側から前面扉を開くというようにするというように、隣り合う遊技機で遊技を行っている遊技者に対して迷惑が掛からないように前面扉の開閉を行うことができる。従って、隣り合う遊技機で遊技を行っている遊技者は、遊技を中断したり、姿勢を変えて遊技を行ったりする必要がなく、遊技に集中することができる。また、遊技店の店員は、隣り合う遊技機で遊技を行っている遊技者に対して迷惑を掛けることなく、前面扉を開けてスムーズに作業を行うことができる。
【０００９】
さらに、本発明は、以下のようなものを提供する。
（２）  上記（１）に記載の遊技機であって、
上記前面扉は、上記本体に対して上下左右の４方向から開閉し得るように、上記本体に支持されることを特徴とする遊技機。
【００１０】
（２）の発明によれば、前面扉を本体に対して上下左右の４方向から開閉することができるため、右側の遊技機で遊技が行われている場合には、左側から前面扉を開き、左側の遊技機で遊技が行われている場合には、右側から前面扉を開くというようにすることが可能であり、さらに、隣り合う遊技機の両方で遊技が行われている場合であっても、前面扉を上下方向から開くことができる。従って、隣り合う遊技機で遊技を行っている遊技者は、遊技を中断したり、姿勢を変えて遊技を行ったりする必要がなく、遊技に集中することができる。また、遊技店の店員は、隣り合う遊技機で遊技を行っている遊技者に対して迷惑を掛けることなく、前面扉を開けてスムーズに作業を行うことができる。
【００１１】
さらに、本発明は、以下のようなものを提供する。
（３）  上記（２）に記載の遊技機であって、
上記前面扉の裏面側には、上記開口の周縁部を覆う内枠が設けられ、
上記内枠が、上記開口の周縁部の一辺を軸として当該内枠を上記本体に対して開閉させる第１ヒンジと、当該周縁部の一辺と対向する他辺を軸として当該内枠を上記本体に対して開閉させる第２ヒンジとを介して、上記本体に係合するとともに、
上記第１ヒンジ又は上記第２ヒンジのいずれか一のヒンジにより上記内枠を開閉させる際に、他のヒンジによる上記本体への係合が解除されるように構成され、さらに、
上記前面扉が、上記内枠の一辺を軸として当該前面扉を上記内枠に対して開閉させる第３ヒンジと、当該内枠の一辺と対向する他辺を軸として当該前面扉を上記内枠に対して開閉させる第４ヒンジとを介して上記内枠に係合するとともに、
上記第３ヒンジ又は上記第４ヒンジのいずれか一のヒンジにより上記前面扉を開閉させる際に、他のヒンジによる上記内枠への係合が解除されるように構成されることにより、
上記前面扉は、上記本体に対して上下左右の４方向から開閉し得るように、上記本体に支持されることを特徴とする。
【００１２】
（３）の発明によれば、例えば、内枠を上下方向から本体に対して開閉可能とするとともに、前面扉を左右方向から内枠に対して開閉可能とするというようにして、前面扉を、本体に対して上下左右の４方向から開閉し得るようにすることができる。その結果、隣り合う遊技機で遊技を行っている遊技者は、遊技に集中することができ、遊技店の店員は、隣り合う遊技機で遊技を行っている遊技者に対して迷惑を掛けることなく、前面扉を開けてスムーズに作業を行うことができる。
【００１３】
さらに、本発明は、以下のようなものを提供する。
（４）  上記（２）に記載の遊技機であって、
上記開口の周縁部の少なくとも隣接する２辺を覆う枠部材が、上記開口の周縁部の一角に配置されるとともに上記開口の周縁部の隣接する２辺のどちらか１辺を軸として上記枠部材を開閉させる第１ヒンジ部を介して、上記本体に付設され、
上記前面扉が、上記開口の周縁部の隣接する２辺以外の隣接する２辺のどちらか一辺を軸として上記前面扉を上記枠部材に対して開閉させる上記第２ヒンジ部を介して、上記枠部材に付設されることにより、
上記前面扉は、上記本体に対して上下左右の４方向から開閉し得るように、上記本体に支持されることを特徴とする。
【００１４】
（４）の発明によれば、例えば、枠部材を本体に対して右方向又は上方向から開閉可能とするとともに、前面扉を枠部材に対して左方向又は下方向から開閉可能とするというようにして、前面扉を、本体に対して上下左右の４方向から開閉し得るようにすることができる。その結果、隣り合う遊技機で遊技を行っている遊技者は、遊技に集中することができ、遊技店の店員は、隣り合う遊技機で遊技を行っている遊技者に対して迷惑を掛けることなく、前面扉を開けてスムーズに作業を行うことができる。
【発明の効果】
【００１５】
本発明によれば、前面扉を開ける必要が生じても、隣り合う遊技機で遊技を行っている遊技者が遊技を中断したり、姿勢を変えて遊技を行ったりする必要がなく、遊技に集中することができ、また、遊技店の店員が前面扉を開けてスムーズに作業を行うことができる。
【発明を実施するための最良の形態】
【００１６】
［第１実施形態］
本発明の実施形態について図面に基づいて説明する。以下においては、本発明の好適な実施形態として、本発明をパチンコ遊技装置に適用した場合について説明するが、勿論、本発明は、パチスロ遊技装置やスロットマシン等の遊技機に適用することが可能である。
【００１７】
図１は、第１実施形態に係るパチンコ遊技装置１０を模式的に示す正面図である。
パチンコ遊技装置１０は、本体である正面視矩形状の本体枠１２を備えている。本体枠１２の前面には、内枠１５が設けられており、内枠１５の前面には、前面扉１６が設けられている。前面扉１６の中央部分にはガラス板が嵌め込まれており、前面扉１６のガラス板を介して、本体枠１２に組み込まれた遊技盤１４を視認することが可能である。
【００１８】
内枠１５の上部には上部鍵穴５１が設けられ、内枠１５の下部には下部鍵穴５２が設けられている。また、前面扉１６の右部には右部鍵穴５３が設けられ、前面扉１６の左部には左部鍵穴５４が設けられている。前面扉１６の取付構造については、後で図２〜図８を用いて詳述することにするが、遊技店の店員は、４つの鍵穴５１〜５４のいずれか１の鍵穴に鍵を差し込んで引くことにより、上下左右の４方向から前面扉１６を本体枠１２に対して開くことができる。
【００１９】
本発明において、前面扉は本体に対して少なくとも左右の２方向から開閉し得るように、本体に支持されていればよいが、パチンコ遊技装置１０のように、前面扉１６は本体枠１２に対して上下左右の４方向から開閉し得るように本体枠１２に支持されていることが望ましい。隣り合うパチンコ遊技装置１０において他の遊技者が遊技を行っている場合であっても、上下方向から前面扉１６を開閉することができるため、他の遊技者に対して迷惑を掛けることを防止することができ、遊技店の店員もスムーズに作業を行うことができるからである。
【００２０】
遊技盤１４の前面には、複数の障害釘（図示せず）が打ち込まれ、さらに、各種の役物（例えば、始動口、入賞口、大入賞口等）が配置されている。また、前面扉１６の下側で本体枠１２の前面には、遊技球が貯留される上皿２０及び下皿２２が設けられており、下皿２２の右側には発射ハンドル２６とが配置されている。発射ハンドル２６は、本体枠１２に対して回動自在に設けられており、遊技者は発射ハンドル２６を操作することによりパチンコ遊技を進めることができるのである。発射ハンドル２６の裏側には、発射ソレノイド２８が設けられている。発射ハンドル２６が遊技者によって時計回りへ回動操作されたときには、発射ソレノイド２８に電力が供給され、上皿２０に貯留された遊技球が遊技盤１４に順次発射される。発射された遊技球は、遊技盤１４に設けられたガイドレール３０に案内されて遊技盤１４の上部に移動し、その後、上述した複数の障害釘との衝突によりその進行方向を変えながら遊技盤１４の下方に向かって落下する。その際に障害釘の間や役物等に遊技球が詰まってしまうことがあり、このような場合に前面扉１６を開く必要が生じることになる。
【００２１】
図２は、図１に示したパチンコ遊技装置１０を模式的に示す斜視図である。
図３は、図１に示したパチンコ遊技装置１０の前面扉１６の取付構造を模式的に示す分解斜視図である。
【００２２】
本体枠１２には、矩形状の開口１２ａが形成されており、開口１２ａには、遊技盤１４が組み込まれている。遊技盤１４については、既に説明済であるので、ここでの説明は省略する。
開口１２ａの周縁部１２ｂ前面の左側には、上下方向に延びた四角柱状の左支持部材１２ｃが設けられている。また、周縁部１２ｂ前面の右側には、上下方向に延びた四角柱状の右支持部材１２ｄが設けられている。
左支持部材１２ｃの右面の上部と下部とには、それぞれ円形の取付孔１２ｅが形成されている。図示しないが、右支持部材１２ｄの左面の上部と下部とには、それぞれ取付孔１２ｅの対向するように、円形の取付孔１２ｆが形成されている。
【００２３】
開口１２ａの周縁部１２ｂの前面には、周縁部１２ｂを覆う形状を有した内枠１５が、左支持部材１２ｃと右支持部材１２ｄとの間に収まるように取り付けられる。
内枠１５の上部には、左右方向に延びた有底四角柱状の上ヒンジ６０が設置されており、上ヒンジ６０内には、左右方向に伸縮可能なヒンジピン６１、６２が設けられ、上ヒンジ６０の前面中央には、上部鍵穴５１が設置されている。
ヒンジピン６１は、上ヒンジ６０の左端から突出しており、左支持部材１２ｃの右面上部に形成された取付孔１２ｅに挿入される。また、ヒンジピン６２は、上ヒンジ６０の右端から突出しており、右支持部材１２ｄの左面上部に形成された取付孔１２ｆ（図示せず）に挿入される。上部鍵穴５１に鍵を挿入して所定方向に回転させることにより、ヒンジピン６１、６２を縮めて上ヒンジ６０内に格納させ、取付孔１２ｅ、１２ｆとの係合を解除することができる。
【００２４】
内枠１５の下部には、左右方向に延びた有底四角柱状の下ヒンジ７０が設置されており、下ヒンジ７０内には、左右方向に伸縮可能なヒンジピン７１、７２が設けられ、下ヒンジ７０の前面中央には、下部鍵穴５２が設置されている。
ヒンジピン７１は、下ヒンジ７０の左端から突出しており、左支持部材１２ｃの右面下部に形成された取付孔１２ｅに挿入される。また、ヒンジピン７２は、下ヒンジ７０の右端から突出しており、右支持部材１２ｄの左面下部に形成された取付孔１２ｆ（図示せず）に挿入される。下部鍵穴５２に鍵を挿入して所定方向に回転させることにより、ヒンジピン７１、７２を縮めて下ヒンジ７０内に格納させ、取付孔１２ｅ、１２ｆとの係合を解除することができる。
【００２５】
内枠１５の下ヒンジ７０の上面の左側と右側とには、それぞれ円形の取付孔１５ｅが形成されている。図示しないが、内枠１５の上ヒンジ６０の下面の左側と右側とには、それぞれ取付孔１５ｅと対向するように、円形の取付孔１５ｆが形成されている。
【００２６】
内枠１２の前面には、内枠１２の上ヒンジ６０と下ヒンジ７０との間に収まるように、その中央部分にガラス板がはめ込まれた矩形状を有する前面扉１６が取り付けられる。
前面扉１６の左側には、上下方向に延びた左ヒンジ８０が設けられており、左ヒンジ８０内には、上下方向に伸縮可能なヒンジピン８１、８２が設けられ、左ヒンジ８０の前面中央には、左部鍵穴５４が設置されている。
ヒンジピン８１は、左ヒンジ８０の上端から突出しており、上ヒンジ６０の下面左側に形成された取付孔１５ｅ（図示せず）に挿入される。また、ヒンジピン８２は、左ヒンジ８０の下端から突出しており、下ヒンジ７０の上面右側に形成された取付孔１５ｆに挿入される。左部鍵穴５４に鍵を挿入して所定方向に回転させることにより、ヒンジピン８１、８２を縮めて左ヒンジ８０内に格納させ、取付孔１５ｅ、１５ｆとの係合を解除することができる。
【００２７】
前面扉１６の右側には、上下方向に延びた右ヒンジ９０が設けられており、右ヒンジ９０内には、上下方向に伸縮可能なヒンジピン９１、９２が設けられ、右ヒンジ９０の前面中央には、右部鍵穴５３が設置されている。
ヒンジピン９１は、右ヒンジ９０の上端から突出しており、上ヒンジ６０の下面右側に形成された取付孔１５ｅ（図示せず）に挿入される。また、ヒンジピン９２は、右ヒンジ９０の下端から突出しており、下ヒンジ７０の上面右側に形成された取付孔１５ｆに挿入される。右部鍵穴５５に鍵を挿入して所定方向に回転させることにより、ヒンジピン９１、９２を縮めて右ヒンジ９０内に格納させ、取付孔１５ｅ、１５ｆとの係合を解除することができる。
【００２８】
次に、上述した上ヒンジ６０、下ヒンジ７０、左ヒンジ８０、右ヒンジ９０の４つのヒンジの構造について説明する。なお、４つのヒンジの構造はいずれも同じであるから、ここでは、上ヒンジ６０を例に挙げて説明することとする。
図４（ａ）は、図１に示したパチンコ遊技装置１０の前面扉１６閉成時における上ヒンジ６０の構造を模式的に示す断面図であり、（ｂ）は、前面扉開成時における上ヒンジの構造を模式的に示す断面図である。
【００２９】
図４（ａ）に示すように、上ヒンジ６０の左端から突出したヒンジピン６１は、左支持部材１２ｃの右面上部に形成された取付孔１２ｅに挿入されている。ヒンジピン６１はバネ６１ａにより左方へ付勢されている。ヒンジピン６１は、連結部６１ｂを介してロッド６１ｃと連結されている。ロッド６１ｃは左右方向に往復動可能に構成されており、ロッド６１ｃの右端側の側面にはラック６１ｄが設けられている。ラック６１ｄには、ピニオン５１ｃが噛合し、ピニオン５１ｃにはアイドラー５１ｂが噛合している。さらに、アイドラー５１ｂには、上部鍵穴５１がその中央に形成されたギア５１ａが噛合している。
【００３０】
また、上ヒンジ６０の右端から突出したヒンジピン６２は、右支持部材１２ｄの左面上部に形成された取付孔１２ｆに挿入されている。ヒンジピン６２はバネ６２ａにより右方へ付勢されている。ヒンジピン６２は、連結部６２ｂを介してロッド６２ｃと連結されている。ロッド６２ｃは左右方向に往復動可能に構成されており、ロッド６２ｃの左端側の側面にはラック６２ｄが設けられている。ラック６２ｄには、ピニオン５１ｄが噛合し、ピニオン５１ｄには、ギア５１ａが噛合している。
【００３１】
上ヒンジ６０の下面の右側と左側とには、それぞれ取付孔１５ｆが形成されており、右側の取付孔１５ｆには、前面扉１６の左ヒンジ８０のヒンジピン８１が挿入されている。また、左側の取付孔１５ｆには、前面扉１６の右ヒンジ９０のヒンジピン９１が挿入されている。
【００３２】
上部鍵穴５１に鍵を差し込んで右回りに回転させると、図４（ｂ）に示すように、ギア５１ａが右回りに回転するとともに、アイドラー５１ｂが左回りに回転し、ピニオン５１ｃが右回りに回転し、その回転がラック６１ｄに伝達され、ロッド６１ｃが右方向に移動する。その結果、ヒンジピン６１がバネ６１ａの付勢力に抗して右方向に移動して上ヒンジ６０内に格納され、ヒンジピン６１と取付孔１２ｅとの係合が解除される。これと同時に、ギア５１ａの右回りの回転に伴って、ピニオン５１ｄが左回りに回転し、その回転がラック６２ｄに伝達され、ロッド６２ｃが左方向に移動する。その結果、ヒンジピン６２がバネ６２ａの付勢力に抗して左方向に移動して上ヒンジ６０内に格納され、ヒンジピン６２と取付孔１２ｆとの係合が解除される。
【００３３】
このように、上部鍵穴５１に鍵を差し込んで右回りに回転させることにより、ヒンジピン６１と取付孔１２ｅとの係合が解除されるとともに、ヒンジピン６１と取付孔１２ｆとの係合が解除される。そして、鍵を上部鍵穴５１に差し込んだ状態で手前側に引くことにより、前面扉１６を内枠１５とともに上側から開くことができるのである（図８参照）。
【００３４】
下ヒンジ７０、左ヒンジ８０、右ヒンジ９０も、上述した上ヒンジ６０と同様の構成を有している。
右ヒンジ９０の右部鍵穴５３に鍵を差し込んで所定方向に回転させると、右ヒンジ９０の内枠１５への係合が解除され、図５に示すように、前面扉１６を、内枠１５の左辺と平行な左ヒンジ８０を軸として、右方向（Ａ方向）から開くことができる。
【００３５】
また、左ヒンジ９０の左部鍵穴５４に鍵を差し込んで所定方向に回転させると、左ヒンジ８０の内枠１５への係合が解除され、図６に示すように、前面扉１６を、内枠１５の右辺と平行な右ヒンジ８０を軸として、左方向（Ｂ方向）から開くことができる。
【００３６】
また、下ヒンジ７０の下部鍵穴５２に鍵を差し込んで所定方向に回転させると、下ヒンジ７０の本体枠１２への係合が解除され、図７に示すように、前面扉１６を内枠１５とともに、開口１２ａの周縁部１２ｂの上辺と平行な上ヒンジ６０を軸として、下方向（Ｃ方向）から開くことができる。
【００３７】
さらに、上ヒンジ６０の上部鍵穴５１に鍵を差し込んで所定方向に回転させると、上ヒンジ６０の本体枠１２への係合が解除され、図８に示すように、前面扉１６を内枠１５とともに、開口１２ａの周縁部１２ｂの下辺と平行な下ヒンジ７０を軸として、上方向（Ｄ方向）から開くことができる。
【００３８】
パチンコ遊技装置１０において、上ヒンジ６０は、開口１２ａの周縁部１２ｂの上辺を軸として内枠１５を本体枠１２に対して開閉させる第１ヒンジとして機能する（図７参照）。
また、下ヒンジ７０は、周縁部１２ｂの上辺と対向する下辺を軸として内枠１５を本体枠１２に対して開閉させる第２ヒンジとして機能する（図８参照）。
また、内枠１５は、上ヒンジ６０又は下ヒンジ７０のいずれか１のヒンジにより内枠１５を開閉させる際に、他のヒンジによる本体枠１２への係合が解除されるように構成されている（図７、図８参照）。
【００３９】
パチンコ遊技装置１０において、左ヒンジ８０は、内枠１５の左辺を軸として前面扉１６を内枠１５に対して開閉させる第３ヒンジとして機能する（図５参照）。
右ヒンジ９０は、内枠１５の左辺と対向する右辺を軸として前面扉１６を内枠１５に対して開閉させる第４ヒンジとして機能する（図６参照）。
また、前面扉１６は、左ヒンジ８０又は右ヒンジ９０のいずれか１のヒンジにより前面扉を開閉させる際に、他のヒンジによる内枠１５への係合が解除されるように構成されている（図５、図６参照）。
【００４０】
以上、パチンコ遊技装置１０においては、内枠１５が上下方向から本体枠１２に対して開閉可能であるとともに、前面扉１６が左右方向から内枠１５に対して開閉可能であるため、前面扉１６を、本体枠１２に対して上下左右の４方向から開閉し得るようにすることができる。その結果、隣り合う遊技機で遊技を行っている遊技者に対して迷惑を掛けることなく、前面扉１６を開けてスムーズに作業を行うことができる。
【００４１】
［第２実施形態］
図９は、第２実施形態に係るパチンコ遊技装置１００を模式的に示す斜視図である。
図１０は、図９に示したパチンコ遊技装置１００の前面扉３０２の取付構造を模式的に示す分解斜視図である。
図１１〜図１４は、それぞれ図９に示したパチンコ遊技装置の前面扉を右方向（Ｅ方向）、下方向（Ｆ方向）、左方向（Ｇ方向）、上方向（Ｈ方向）から開いた様子を模式的に示す斜視図である。
【００４２】
本体枠２００には、矩形状の開口１３０が形成されており、開口１３０内には遊技盤１１４が組み込まれている。本体枠２００の前面には、開口１３０の周縁部を覆う枠部材３０１が付設されている。
枠部材３０１は、第１ヒンジ部３１０によって本体枠２００に取り付けられている。第１ヒンジ部３１０は、支持板３１０ａ、軸３１１、３１２を有する。枠部材３０１は、その突起部３０１ａで軸３１１を介して支持板３１０ａに回動可能に連結され、その支持板３１０ａの一側部は軸３１１と直交する向きの軸３１２を介して回動可能に本体枠２００に連結されている。
【００４３】
前面扉３０２は、その中央部分にガラス板が嵌め込まれており、第１ヒンジ部３１０と対角の位置関係に配置される第２ヒンジ部３２０によって、枠部材３０１に取り付けられている。第２ヒンジ部３２０は、支持板３２０ａ、軸３２１、３２２を有する。前面扉３０２は、その突起部３０２ａで軸３２１を介して支持板３２０ａに回動可能に連結され、その支持板３２０ａの一側部は軸３２１と直交する向きの軸３２２を介して回動可能に枠部材３０１に結合されている。第１ヒンジ部の軸３１１と第２ヒンジ部の軸３２１は平行であり、またこれらに直交した方向の第１ヒンジ部の軸３１２と第２ヒンジ部の軸３２２も平行の位置関係にある。
【００４４】
本体枠２００には、図１０に示すように、軸３３１と軸３３２が固定されている。その位置関係は、枠部材３０１が閉まった状態において、軸３３１は第１ヒンジ部３１０の軸３１１と同一直線上になるように設けられ、軸３３２は第１ヒンジ部の軸３１２と同一直線上になるように設けられている。そしてこれらの軸３３１と軸３３２に対応して、枠部材３０１には第１の回動支持部３０１ｂ及び第２の回動支持部３０１ｃが設けられている。第１及び第２の回動支持部３０１ｂ、３０１ｃには、軸３３１、３３２に係合して回動可能となるようＵ字溝が形成されている。
【００４５】
さらに、枠部材３０１には、軸３４１と軸３４２が固定されている。その位置関係は、前面扉３０２が閉まった状態において、軸３４１は第２ヒンジ部３２０の軸３２１と同一直線上になるように設けられ、軸３４２は第２ヒンジ部の軸３２２と同一直線上になるように設けられている。そして、これらの軸３４１と３４２に対応して、前面扉３０２には、軸３４１、３４２に係合して回動可能となるよう形成されたＵ字溝を有する第３の回動支持部３０２ｂ及び第４の回動支持部３０２ｃが設けられている。第３及び第４の回動支持部３０２ｂ、３０２ｃには、３４１、３４２に係合して回動可能となるようにＵ字溝が形成されている。
【００４６】
図１０及び図１１に示すように、前面扉３０２の第２ヒンジ部３２０と対角位置の裏面には、マグネット３５０が貼着されており、それに向かい合って枠部材３０１には、磁性体３５１が貼着されている。これらのマグネット３５０と磁性体３５１とにより、前面扉３０２が枠部材３０１に対して繰り返し接離可能となっている。
【００４７】
前面扉３０２が４方向から開閉操作可能となる動作を、次に説明する。
図９は前面扉３０２が閉じられた状態を示し、図１１は下方向（Ｆ方向）から前面扉３０２を開けた状態を示す。マグネット３５０、磁性体３５１によって枠部材３０１に付着していた前面扉３０２は、遊技店の店員が、鍵穴３０２ｄ、３０２ｅの錠を開錠し、その状態で鍵穴３０２ｅに鍵を差し込んで引くことにより付着が解除される。そして、前面扉３０２は第２ヒンジ部３２０の軸３２２を中心として回転する。このとき、同時に第２部材支持部３０２ｃのＵ字溝は、枠部材３０１に固定された軸３４２に係合して回動するので、前面扉３０２はねじれることなく下方向（Ｆ方向）から開く。なお、枠部材３０１に固定された軸３４１は、このときの回動軸３２２、３４２とは直交方向なので、前面扉３０２のもう一方の回動支持部３０２ｂは軸３４１には係合せず、前面扉３０２を開ける際にひっかかることはない。
【００４８】
図１２は、左方向（Ｇ方向）から前面扉３０２を開けた状態を示す。下方向（Ｆ方向）からの操作と同様に、マグネット３５０、磁性体３５１によって枠部材３０１に付着していた前面扉３０２は、遊技店の店員が、鍵穴３０２ｄ、３０２ｅの錠を開錠し、その状態で鍵穴３０２ｄに鍵を差し込んで引くことにより付着が解除される。そして、前面扉３０２は第２ヒンジ部の軸３２１を中心として回動する。このとき、同時に第２部材の回動支持部３０２ｂのＵ字溝は第１部材に固定された軸３４１に係合して回動するので、前面扉３０２はねじれることなく左方向（Ｇ方向）から開く。なお、枠部材３０１に固定された軸３４２は、このときの回動軸３２１、３４１とは直交方向なので、前面扉３０２のもう一方の回動支持部３０２ｃは軸３４２には係合せず、前面扉３０２を開ける際にひっかかることはない。
【００４９】
図１３は、右方向（Ｅ方向）から前面扉３０２を開けた状態を示す。遊技店の店員が、鍵穴３０１ｄ、３０１ｅの錠を開錠し、その状態で鍵穴３０１ｄに鍵を差し込んで引くことにより、枠部材３０１は第１ヒンジ部３１０の軸３１１を中心として回転する。このとき、同時に第１部材の回動支持部３０１ｂのＵ字溝は、本体枠２００に固定された軸３３１に係合して回動するので、枠部材３０１はねじれることなく右方向（Ｅ方向）に前開きとなる。なお、本体枠２００に固定された軸３３２は、このときの回動軸３１１、３３１とは直交方向なので、枠部材３０１のもう一方の回動支持部３０１ｃは軸３３２には係合せず、前面扉３０２を開ける際にひっかかることはない。なお、このように右方向（Ｅ方向）からの開閉操作では、前面扉３０２は、図１３では隠れた位置にあるが、マグネット３５０、磁性体３５１によって枠部材３０１に付着されて一体のまま開閉される。
【００５０】
図１４は、上方向（Ｈ方向）から前面扉３０２を開けた状態を示す。遊技店の店員が、鍵穴３０１ｄ、３０１ｅの錠を開錠し、その状態で鍵穴３０１ｅに鍵を差し込んで引くことにより、枠部材３０１は第１ヒンジ部３１０の軸３１２を中心として回動する。このとき、同時に第１部材の回動支持部３０１ｃのＵ字溝は、本体枠２００に固定された軸３３２に係合して回動するので、枠部材３０１はねじれることなく上方向（Ｈ方向）から開く。なお、本体枠２００に固定された軸３３１は、このときの回動軸３１２、３３２とは直交方向なので、枠部材３０１のもう一方の回動支持部３０１ｂは軸３３１には係合せず、前面扉３０２を開ける際にひっかかることはない。
このように上方向（Ｈ方向）からの開閉操作では、右方向（Ｅ方向）からの開閉操作と同様に、前面扉３０２はマグネット３５０、磁性体３５１によって枠部材３０１に付着されて一体のまま開閉される。
【００５１】
以上、第２実施形態に係るパチンコ遊技装置１００によれば、枠部材３０１が第１ヒンジ部３１０により本体枠２００に対して右方向又は上方向から開閉可能であり、前面扉３０２が第２ヒンジ部３２０により枠部材３０１に対して左方向又は下方向から開閉可能であることにより、前面扉３０２は、本体枠２００に対して上下方向の４方向から開閉し得るように構成されているため、前面扉３０２が開かれる際に、隣り合う遊技機で遊技を行っている遊技者は、遊技に集中することができ、遊技店の店員は、隣り合う遊技機で遊技を行っている遊技者に対して迷惑を掛けることなく、前面扉３０２を開けてスムーズに作業を行うことができる。
【図面の簡単な説明】
【００５２】
【図１】第１実施形態に係るパチンコ遊技装置を模式的に示す正面図である。
【図２】図１に示したパチンコ遊技装置を模式的に示す斜視図である。
【図３】図１に示したパチンコ遊技装置の前面扉の取付構造を模式的に示す分解斜視図である。
【図４】（ａ）は、図１に示したパチンコ遊技装置の前面扉閉成時における上ヒンジの構造を模式的に示す断面図であり、（ｂ）は、前面扉開成時における上ヒンジの構造を模式的に示す断面図である。
【図５】図１に示したパチンコ遊技装置の前面扉を右方向（Ａ方向）から開いた様子を模式的に示す斜視図である。
【図６】図１に示したパチンコ遊技装置の前面扉を左方向（Ｂ方向）から開いた様子を模式的に示す斜視図である。
【図７】図１に示したパチンコ遊技装置の前面扉を下方向（Ｃ方向）から開いた様子を模式的に示す斜視図である。
【図８】図１に示したパチンコ遊技装置の前面扉を上方向（Ｄ方向）から開いた様子を模式的に示す斜視図である。
【図９】第２実施形態に係るパチンコ遊技装置を模式的に示す斜視図である。
【図１０】図９に示したパチンコ遊技装置の前面扉の取付構造を模式的に示す分解斜視図である。
【図１１】図９に示したパチンコ遊技装置の前面扉を右方向（Ｅ方向）から開いた様子を模式的に示す斜視図である。
【図１２】図９に示したパチンコ遊技装置の前面扉を下方向（Ｆ方向）から開いた様子を模式的に示す斜視図である。
【図１３】図９に示したパチンコ遊技装置の前面扉を左方向（Ｇ方向）から開いた様子を模式的に示す斜視図である。
【図１４】図９に示したパチンコ遊技装置の前面扉を上方向（Ｈ方向）から開いた様子を模式的に示す斜視図である。
【符号の説明】
【００５３】
１０  パチンコ遊技装置
１２  本体枠
１２ａ  （本体枠１２の）開口
１２ｂ  （開口１２ａの）周縁部
１２ｃ  左支持部材
１２ｄ  右支持部材
１２ｅ、１２ｆ、１５ｅ、１５ｆ  取付孔
１４  遊技盤
１５  内枠
１５ａ  上ヒンジ
１５ｂ
１６  前面扉
２０  上皿
２２  下皿
２６  発射ハンドル
２８  発射ソレノイド
３０  ガイドレール
４６  スピーカ
５１  上部鍵穴
５２  下部鍵穴
５３  右部鍵穴
５４  左部鍵穴
６０  上ヒンジ
６１、６２  （上ヒンジの）ヒンジピン
７０  下ヒンジ
７１、７２  （下ヒンジの）ヒンジピン
８０  左ヒンジ
８１、８２  （左ヒンジの）ヒンジピン
９０  右ヒンジ
９１、９２  （右ヒンジの）ヒンジピン
１００  パチンコ遊技装置
１１４  遊技盤
１３０  （本体枠２００の）開口
２００  本体枠
３０１  枠部材
３０２  前面扉
３１０  第１ヒンジ部
３２０  第２ヒンジ部
【図１】
2005237831.tif 000003
【図２】
2005237831.tif 000004
【図３】
2005237831.tif 000005
【図４】
2005237831.tif 000006
【図５】
2005237831.tif 000007
【図６】
2005237831.tif 000008
【図７】
2005237831.tif 000009
【図８】
2005237831.tif 000010
【図９】
2005237831.tif 000011
【図１０】
2005237831.tif 000012
【図１１】
2005237831.tif 000013
【図１２】
2005237831.tif 000014
【図１３】
2005237831.tif 000015
【図１４】
2005237831.tif 000016